【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
金属含有（ＭＣ）半電導性（ＳＣ）ポリマードット（Ｐｄｏｔ）であって、
（ｉ）金属を、金属単独、金属の酸化物、金属の錯体、金属の合金、または金属の組み合わせの形態で含むナノ粒子（ＮＰ）と、
（ｉｉ）前記ＮＰに関連付けられたＳＣポリマーと
を備え、
前記ＳＣポリマーは、前記ＭＣ−ＳＣ−Ｐｄｏｔの少なくとも５０％ｖ／ｖを含むか、または前記ＭＣ−ＳＣ−Ｐｄｏｔ群は、約８０ｎｍより小さい平均直径を有する、ＭＣ−ＳＣ−Ｐｄｏｔ。
【請求項２】
前記ＮＰは、１つの金属粒子から成る、請求項１に記載のＭＣ−ＳＣ−Ｐｄｏｔ。
【請求項３】
前記１つの金属粒子は、Ｎａ、Ｌｉ、Ｚｎ、Ｍｇ、Ｆｅ、Ｍｎ、Ｃｏ、Ｎｉ、Ｃｕ、Ｉｎ、Ｓｉ、Ｇａ、Ａｌ、Ｐｔ、Ｐｄ、Ｒｕ、Ｒｈ、Ｒｅ、Ｏｓ、Ｉｒ、Ａｇ、Ａｕ、その酸化物、その錯体、その合金、またはそれらの組み合わせを含む、請求項２に記載のＭＣ−ＳＣ−Ｐｄｏｔ。
【請求項４】
前記１つの金属粒子は、ＡｕまたはＦｅを含む、請求項３に記載のＭＣ−ＳＣ−Ｐｄｏｔ。
【請求項５】
前記１つの金属粒子は、ＦｅＯｘを含み、ｘは、ａ／ｂに等しく、ａは、１、２、３、４、５、６、７、８、９、または１０であり、ｂは、１、２、３、４、５、６、７、８、９、または１０である、請求項３に記載のＭＣ−ＳＣ−Ｐｄｏｔ。
【請求項６】
前記ＳＣポリマーは、前記ＭＣ−ＳＣ−Ｐｄｏｔの少なくとも５０％ｖ／ｖを形成し、前記ＭＣ−ＳＣ−Ｐｄｏｔ群は、約８０ｎｍより小さい平均直径を有する、請求項１に記載のＭＣ−ＳＣ−Ｐｄｏｔ。
【請求項７】
前記ＳＣポリマーは、前記ＭＣ−ＳＣ−Ｐｄｏｔの少なくとも約８０％ｖ／ｖを形成している、請求項１に記載のＭＣ−ＳＣ−Ｐｄｏｔ。
【請求項８】
前記ＮＰは、疎水性ポリマーに付着されることにより、疎水性コアを形成している、請求項１に記載のＭＣ−ＳＣ−Ｐｄｏｔ。
【請求項９】
約３５０ｎｍ〜約８５０ｎｍの吸収波長を有する、請求項１に記載のＭＣ−ＳＣ−Ｐｄｏｔ。
【請求項１０】
請求項１に記載のＭＣ−ＳＣ−Ｐｄｏｔをナノ析出するプロセスであって、前記プロセスは、
金属を含む疎水性相転移ＮＰをＳＣポリマーと水溶液中で混合し、それによって、前記ＮＰを前記ＳＣポリマーのマトリクス内に捕捉し、それによって、ＭＣ−ＳＣ−Ｐｄｏｔを形成することを含む、プロセス。
【請求項１１】
前記ＮＰは、１つの金属粒子から成る、請求項１０に記載のプロセス。
【請求項１２】
前記ＭＣ−ＳＣ−Ｐｄｏｔは、スクロースステップ勾配を使用して、空のＰｄｏｔから分離される、請求項１１に記載のプロセス。
【請求項１３】
前記ＭＣ−ＳＣ−Ｐｄｏｔは、遠心分離を使用して、空のＰｄｏｔからさらに分離される、請求項１２に記載のプロセス。
【請求項１４】
各ＭＣ−ＳＣ−Ｐｄｏｔは、１つのみのＮＰを含む、請求項１１に記載のプロセス。
【請求項１５】
ＮＰをトルエンと接触させることにより、前記疎水性相転移ＮＰを形成することをさらに含む、請求項１０に記載のプロセス。
【請求項１６】
前記トルエンは、チオール末端官能基を伴う半電導性ポリマーを含む、請求項１５に記載のプロセス。
【請求項１７】
遠心分離を使用して、前記疎水性相転移ＮＰを前記トルエンから分離することをさらに含む、請求項１５に記載のプロセス。
【請求項１８】
前記混合することは、音波処理を用いて行われる、請求項１１に記載のプロセス。
【請求項１９】
前記ＳＣポリマーは、前記混合の間、前記疎水性相転移ＮＰより高い濃度にある、請求項１１に記載のプロセス。
【請求項２０】
請求項１に記載のＭＣ−ＳＣ−Ｐｄｏｔを標的細胞に関連付け、前記標的細胞の領域内に磁場を印加し、それによって、前記標的細胞を操作することによって、磁性を使用して標的細胞を操作するインビトロの方法。
【請求項２１】
前記ＭＣ−ＳＣ−ＰｄｏｔのＮＰは、１つの金属粒子から成る、請求項２０に記載の方法。
【請求項２２】
前記１つの金属粒子は、Ｆｅ、Ｎｉ、Ｃｏ、Ｇａ、その酸化物、その合金、その錯体、それらの組み合わせ、ならびに非磁気金属との組み合わせおよび錯体を含む、請求項２０に記載の方法。
【請求項２３】
前記１つの金属粒子は、Ｆｅまたはその酸化物を含む、請求項２２に記載の方法。
【請求項２４】
前記１つの金属粒子は、ＦｅＯｘであり、Ｘは、ａ／ｂに等しく、ａは、１、２、３、４、５、６、７、８、９、または１０であり、ｂは、１、２、３、４、５、６、７、８、９、または１０である、請求項２２に記載の方法。
【請求項２５】
前記ＳＣポリマーは、カルボン酸末端ポリスチレン−ポリ（エチレングリコール）ポリマーを含む、請求項２０に記載の方法。
【請求項２６】
前記カルボン酸末端ポリスチレン−ポリ（エチレングリコール）ポリマー上のカルボン酸基は、生物学的活性化合物と生体結合する、請求項２５に記載の方法。
【請求項２７】
前記生物学的活性化合物は、ストレプトアビジンである、請求項２６に記載の方法。
【請求項２８】
前記標的細胞は、癌細胞である、請求項２０に記載の方法。
【手続補正２】
【補正対象書類名】明細書
【補正対象項目名】０００７
【補正方法】変更
【補正の内容】
【０００７】
部分的に前述に基づいて、本明細書に説明されるのは、細胞標識および操作（インビトロおよびインビボ）を含む、種々の用途に有用なＭＣ−ＳＣ−Ｐｄｏｔである。
例えば、本発明は以下の項目を提供する。
（項目１）
金属含有（ＭＣ）半電導性（ＳＣ）ポリマードット（Ｐｄｏｔ）であって、
（ｉ）金属を含むナノ粒子（ＮＰ）と、
（ｉｉ）前記ＮＰに関連付けられたＳＣポリマーと
を備え、
前記ＳＣポリマーは、前記ＭＣ−ＳＣ−Ｐｄｏｔの少なくとも５０％ｖ／ｖを含むか、または前記ＭＣ−ＳＣ−Ｐｄｏｔ群は、約８０ｎｍより小さい平均直径を有する、ＭＣ−ＳＣ−Ｐｄｏｔ。
（項目２）
前記ＮＰは、１つの金属粒子から成る、項目１に記載のＭＣ−ＳＣ−Ｐｄｏｔ。
（項目３）
前記１つの金属粒子は、Ｎａ、Ｌｉ、Ｚｎ、Ｍｇ、Ｆｅ、Ｍｎ、Ｃｏ、Ｎｉ、Ｃｕ、Ｉｎ、Ｓｉ、Ｇａ、Ａｌ、Ｐｔ、Ｐｄ、Ｒｕ、Ｒｈ、Ｒｅ、Ｏｓ、Ｉｒ、Ａｇ、Ａｕ、その酸化物、その錯体、その合金、またはそれらの組み合わせを含む、項目２に記載のＭＣ−ＳＣ−Ｐｄｏｔ。
（項目４）
前記１つの金属粒子は、ＡｕまたはＦｅを含む、項目３に記載のＭＣ−ＳＣ−Ｐｄｏｔ。
（項目５）
前記１つの金属粒子は、ＦｅＯｘを含み、ｘは、ａ／ｂに等しく、ａは、１、２、３、４、５、６、７、８、９、または１０であり、ｂは、１、２、３、４、５、６、７、８、９、または１０である、項目３に記載のＭＣ−ＳＣ−Ｐｄｏｔ。
（項目６）
前記ＳＣポリマーは、前記ＭＣ−ＳＣ−Ｐｄｏｔの少なくとも５０％ｖ／ｖを形成し、前記ＭＣ−ＳＣ−Ｐｄｏｔ群は、約８０ｎｍより小さい平均直径を有する、項目１に記載のＭＣ−ＳＣ−Ｐｄｏｔ。
（項目７）
前記ＳＣポリマーは、前記ＭＣ−ＳＣ−Ｐｄｏｔの少なくとも約８０％ｖ／ｖを形成している、項目１に記載のＭＣ−ＳＣ−Ｐｄｏｔ。
（項目８）
前記ＮＰは、疎水性ポリマーに付着されることにより、疎水性コアを形成している、項目１に記載のＭＣ−ＳＣ−Ｐｄｏｔ。
（項目９）
約３５０ｎｍ〜約８５０ｎｍの吸収波長を有する、項目１に記載のＭＣ−ＳＣ−Ｐｄｏｔ。
（項目１０）
項目１に記載のＭＣ−ＳＣ−Ｐｄｏｔをナノ析出するプロセスであって、前記プロセスは、
金属を含む疎水性相転移ＮＰをＳＣポリマーと水溶液中で混合し、それによって、前記ＮＰを前記ＳＣポリマーのマトリクス内に捕捉し、それによって、ＭＣ−ＳＣ−Ｐｄｏｔを形成することを含む、プロセス。
（項目１１）
前記ＮＰは、１つの金属粒子から成る、項目１０に記載のプロセス。
（項目１２）
前記ＭＣ−ＳＣ−Ｐｄｏｔは、スクロースステップ勾配を使用して、空のＰｄｏｔから分離される、項目１１に記載のプロセス。
（項目１３）
前記ＭＣ−ＳＣ−Ｐｄｏｔは、遠心分離を使用して、空のＰｄｏｔからさらに分離される、項目１２に記載のプロセス。
（項目１４）
各ＭＣ−ＳＣ−Ｐｄｏｔは、１つのみのＮＰを含む、項目１１に記載のプロセス。
（項目１５）
ＮＰをトルエンと接触させることにより、前記疎水性相転移ＮＰを形成することをさらに含む、項目１０に記載のプロセス。
（項目１６）
前記トルエンは、チオール末端官能基を伴う半電導性ポリマーを含む、項目１５に記載のプロセス。
（項目１７）
遠心分離を使用して、前記疎水性相転移ＮＰを前記トルエンから分離することをさらに含む、項目１５に記載のプロセス。
（項目１８）
前記混合することは、音波処理を用いて行われる、項目１１に記載のプロセス。
（項目１９）
前記ＳＣポリマーは、前記混合の間、前記疎水性相転移ＮＰより高い濃度にある、項目１１に記載のプロセス。
（項目２０）
項目１に記載のＭＣ−ＳＣ−Ｐｄｏｔを標的細胞に関連付け、前記標的細胞の領域内に磁場を印加し、それによって、前記標的細胞を操作することによって、磁性を使用して標的細胞を操作する方法。
（項目２１）
前記ＭＣ−ＳＣ−ＰｄｏｔのＮＰは、１つの金属粒子から成る、項目２０に記載の方法。
（項目２２）
前記１つの金属粒子は、Ｆｅ、Ｎｉ、Ｃｏ、Ｇａ、その酸化物、その合金、その錯体、それらの組み合わせ、ならびに非磁気金属との組み合わせおよび錯体を含む、項目２０に記載の方法。
（項目２３）
前記１つの金属粒子は、Ｆｅまたはその酸化物を含む、項目２２に記載の方法。
（項目２４）
前記１つの金属粒子は、ＦｅＯｘであり、Ｘは、ａ／ｂに等しく、ａは、１、２、３、４、５、６、７、８、９、または１０であり、ｂは、１、２、３、４、５、６、７、８、９、または１０である、項目２２に記載の方法。
（項目２５）
前記ＳＣポリマーは、カルボン酸末端ポリスチレン−ポリ（エチレングリコール）ポリマーを含む、項目２０に記載の方法。
（項目２６）
前記カルボン酸末端ポリスチレン−ポリ（エチレングリコール）ポリマー上のカルボン酸基は、生物学的活性化合物と生体結合する、項目２５に記載の方法。
（項目２７）
前記生物学的活性化合物は、ストレプトアビジンである、項目２６に記載の方法。
（項目２８）
前記標的細胞は、癌細胞である、項目２０に記載の方法。